(57)【要約】【課題】受信した放送情報を欠如なく完全な形で蓄積することを可能とし、消費電力、通信コスト及び所要時間を考慮した欠如情報の取得が可能な放送受信端末を提供する。【解決手段】放送信号受信部１１は、放送信号を受信する。蓄積部１２は、受信した放送信号に含まれる放送情報を蓄積する。検出部は、受信した放送情報の欠如箇所を検出する。欠如箇所記憶部１３は、検出した放送情報の欠如箇所を記憶する。欠如情報取得指示部１４は、欠如箇所記憶部にて記憶した欠如箇所に相当する放送情報の取得指示を行う。通信部１６１又は１６２は、欠如情報取得指示部による取得指示に従い、欠如箇所に相当する放送情報の送信要求を外部のコンテンツ供給源に対して行い、放送情報を通信信号により受信する。欠如情報抽出部１５は、受信した通信信号から、欠如箇所記憶部で記憶している欠如箇所に相当する欠如情報を抽出し、蓄積部に蓄積する。【選択図】図１
2007318334.tif 000002
【特許請求の範囲】
【請求項１】
放送信号を受信する放送信号受信部と、
前記放送信号受信部にて受信した放送信号に含まれる放送情報を蓄積する蓄積部と、
前記放送信号受信部にて受信した放送信号に含まれる放送情報の欠如箇所を検出する検出部と、
前記検出部にて検出した放送情報の欠如箇所を記憶する欠如箇所記憶部と、
前記欠如箇所記憶部にて記憶した欠如箇所に相当する放送情報の取得指示を行う欠如情報取得指示部と、
前記欠如情報取得指示部による取得指示に従い、前記欠如箇所に相当する放送情報の送信要求を外部のコンテンツ供給源に対して行い、該放送情報を通信信号により受信する通信部と、
前記通信部にて受信した通信信号から、前記欠如箇所記憶部にて記憶している欠如箇所に相当する欠如情報を抽出し、前記蓄積部に蓄積する欠如情報抽出部と、
を具備したことを特徴とする放送受信端末。
【請求項２】
前記放送情報の欠如箇所の検出は、時間的な情報の欠如を検出することによって行われることを特徴とする請求項１に記載の放送受信端末。
【請求項３】
前記欠如情報取得指示部は、当該放送受信端末を利用するユーザから蓄積情報再生指示を受け取ったときに、或いは、当該放送受信端末が充電中である場合に、前記通信部にて前記欠如箇所に相当する放送情報の送信要求を開始させることを特徴とする請求項１又２に記載の放送受信端末。
【請求項４】
前記通信部は、前記欠如箇所に相当する放送情報の送信要求を、放送信号の送信元である放送局に対して行うことを特徴とする請求項１〜３のいずれか１つに記載の放送受信端末。
【請求項５】
前記通信部は、前記欠如箇所に相当する放送情報の送信要求を、当該放送受信端末を利用するユーザが使用できる、受信した放送情報の蓄積が可能な放送記憶装置に対して行うことを特徴とする請求項１〜３のいずれか１つに記載の放送受信端末。
【発明の詳細な説明】
【技術分野】
【０００１】
本発明は、放送信号の受信、保存が可能な放送受信端末に関するものである。
【背景技術】
【０００２】
近年、テレビチューナを内蔵した携帯電話端末が登場し、放送局からの放送信号を携帯電話端末において受信することで、携帯電話端末でのテレビ番組視聴が可能となっている。また、ハードディスクドライブを搭載した携帯電話端末も登場したことから、携帯電話端末でのテレビ番組保存可能時間も飛躍的に増大し、蓄積メディアとしての携帯電話端末の利用シーンが拡大するものと考えられる。
【０００３】
一般に、放送局からの放送信号は、電波を伝送媒体として、不特定多数のユーザに対して同時に大量の放送情報を送信する。このため、電波障害による放送信号の途切れにより放送情報が欠如しても、放送信号による放送情報の送信を行う限りは、個別の欠如情報への対応は困難である。  
上述の問題を解決するため、欠如した放送情報については、ユーザからの要求に応じて差分コンテンツを別途送信するという提案がなされている（特許文献１参照）。
【０００４】
しかしながら、欠如情報の取得のための通信発生頻度の増大は、携帯電話端末の消費電力の増大を招くこととなり、その結果、携帯電話端末の連続使用可能時間の短縮をもたらしてしまう。また、欠如情報の取得のために携帯電話会社が提供する通信網を利用した場合、利用時間に応じた通信料金が生じてしまう。  
携帯電話端末での放送情報の保存という見地にたった場合、欠如情報の取得にリアルタイム性は求められないことから、携帯端末の消費電力や、通信料金を考慮した欠如情報取得方法が必要となる。
【特許文献１】特開２００２−７７８５６号公報
【発明の開示】
【発明が解決しようとする課題】
【０００５】
そこで、本発明は、上記の問題に鑑み、受信した放送情報を欠如することなく完全な形で蓄積することを可能とし、消費電力、通信コスト及び所要時間を考慮した欠如情報の取得が可能な放送受信端末を提供することを目的とするものである。
【課題を解決するための手段】
【０００６】
本願発明の一態様によれば、放送信号を受信する放送信号受信部と、前記放送信号受信部にて受信した放送信号に含まれる放送情報を蓄積する蓄積部と、前記放送信号受信部にて受信した放送信号に含まれる放送情報の欠如箇所を検出する検出部と、前記検出部にて検出した放送情報の欠如箇所を記憶する欠如箇所記憶部と、前記欠如箇所記憶部にて記憶した欠如箇所に相当する放送情報の取得指示を行う欠如情報取得指示部と、前記欠如情報取得指示部による取得指示に従い、前記欠如箇所に相当する放送情報の送信要求を外部のコンテンツ供給源に対して行い、該放送情報を通信信号により受信する通信部と、前記通信部にて受信した通信信号から、前記欠如箇所記憶部にて記憶している欠如箇所に相当する欠如情報を抽出し、前記蓄積部に蓄積する欠如情報抽出部とを具備したことを特徴とする放送受信端末が提供される。
【発明の効果】
【０００７】
本発明によれば、受信した放送情報を欠如することなく完全な形で蓄積することが可能となり、消費電力、通信コスト及び所要時間を考慮した欠如情報の取得が可能な放送受信端末を提供することができる。
【発明を実施するための最良の形態】
【０００８】
発明の実施の形態について図面を参照して説明する。  
本発明の実施形態では、放送局からの放送信号を受信し蓄積（保存）を行う放送受信端末において、電波障害等により途切れた放送情報を特定し、別途欠如情報の取得を行う。欠如情報の取得は、電池切れの心配がない、放送受信端末が充電中である時に行う、或いは、放送受信端末がユーザからの蓄積情報再生指示を受け取った時に行う。また、欠如情報の取得先として、放送局のコンテンツサーバの他、放送受信端末との通信が可能な放送記憶装置(例えばハードディスクレコーダ)をコンテンツ供給源として利用できる。
【０００９】
図１は本発明の一実施形態の放送受信端末の構成を示すブロック図である。  
図１において、放送受信端末１は、例えば、テレビチューナを内蔵した携帯電話端末である。或いは、テレビチューナを内蔵した携帯型のＤＶＤ記録再生機器であってもよい。
【００１０】
放送受信端末１は、放送信号受信部１１と、欠如箇所の検出を行う検出部１２ａを備えた放送情報の蓄積部１２と、欠如箇所記憶部１３と、欠如情報取得指示部１４と、第１，第２の通信部１６１，１６２と、欠如情報抽出部１５と、再生部１７と、表示部１８と、音声出力部１９と、充電部２０とを備えている。後述するように、通信部としては、必ずしも２つでなくてもよく、少なくとも１つであればよい。
【００１１】
放送信号受信部１１は、図示しない放送局からテレビジョン電波で送信される例えば地上デジタル放送信号を受信し、デジタル復調した符号化データを出力する。地上デジタル放送信号としては、携帯型端末で移動受信可能な地上デジタルテレビ１セグメント放送（簡易動画放送）信号がある。
【００１２】
デジタル放送では、一般的に、送信側の放送局に設置した装置には基準時計があり、これに同期して動作している。ＴＳエンコーダは、基準時計の基準時刻（ＳＴＣ、System Time Clock）を受信機側に送るために、ＴＳパケットのアダプテーションフィールドにＰＣＲ（Program Clock Reference）を入れ、送信側のＳＴＣを受信機側に伝える。受信側では、受信したＰＣＲを用いて、送信側のＳＴＣと同じ基準時刻を発生し、受信機全体の基準時刻としている。従って、放送受信端末１へ送信された放送信号に含まれる放送情報には、時間的な情報（以下、時間情報ともいう）を含んでおり、放送受信端末１の蓄積部に蓄積される放送情報にも時間情報が含まれることになる。
【００１３】
蓄積部１２は、ハードディスクやフラッシュメモリのような情報記録媒体を備え、受信した放送信号に含まれる放送情報（符号化データ）を蓄積すると同時に、放送信号に含まれる時間的な情報等をチェックすることによって、放送情報の欠如箇所を検出する検出部１２ａを備えている。従って、蓄積部１２は、本来の放送情報の蓄積機能(蓄積部)のほかに、放送情報の欠如箇所を検出する検出機能(検出部)を備えている。なお、放送情報の欠如箇所を検出する検出部１２ａを、蓄積部１２とは別に設けてもよい。
【００１４】
欠如箇所記憶部１３は、受信した放送情報に欠如箇所が存在する場合、蓄積部１２で検出された欠如箇所を記憶するもので、例えば時間的な情報の欠如箇所を記憶する。  
欠如情報取得指示部１４は、蓄積部１２に蓄積された放送情報のユーザによる再生指示や、夜間等に携帯型端末を充電開始した時に充電中を示す情報を受けて、欠如箇所記憶部１３にて記憶された欠如箇所に相当する放送情報を取得する指示を通信部１６１又は１６２に対して行う。使用する通信部としては、その時点で有効でかつ有利な条件で通信が行える通信部が選択される（これについては後述する）。
【００１５】
通信部１６１又は１６２は、欠如情報取得指示部１４による欠如情報の取得指示に従い、欠如箇所に相当する放送情報の送信要求を行い、該放送情報を通信信号により受信する機能を備えている。２つの通信部１６１，１６２はそれぞれ、例えば、放送局に設置されたコンテンツサーバとの通信を行うための通信機能と、ユーザの自宅内等に設置された放送記憶装置（ハードディスクレコーダ）との通信を行うための通信機能として設けられていてもよい。  
なお、図１では二種類の通信部のみを図示しているが、一種類の通信部しか持たない放送受信端末や、二種類を超える通信部を持つ放送受信端末という構成も可能である。
【００１６】
欠如情報抽出部１５は、通信部１６１又は１６２にて受信した通信信号から、欠如箇所記憶部１３にて記憶している欠如箇所に相当する放送情報（欠如情報）を抽出し、蓄積部１２に蓄積する。欠如情報抽出部１５は、２つの通信部のいずれかを介して、放送データを受信するが、受信された放送データは欠如箇所のみではなく、欠如箇所を含むデータである。欠如情報抽出部１５は、欠如箇所データのみ受信データから抽出する機能を有しているが、この欠如箇所がどこかを欠如箇所記憶部１３から示してもらう（もしくは欠如箇所の情報を取りに行く）ことになる。
【００１７】
再生部１７は、放送信号受信部１１にてデジタル復調した符号化データを復号して、映像表示用の映像信号及び音声出力用の音声信号を生成する一方、ユーザからの再生指示に基づいて蓄積部１２に蓄積済みの放送情報（符号化データ）を読み出して復号し、映像表示用の映像信号及び音声出力用の音声信号を生成する。
【００１８】
表示部１８は、液晶パネル等の平面ディスプレイで構成されており、再生部１７にて復号した映像信号を入力し、画像や文字等を表示する。音声出力部１９は、スピーカで構成されており、再生部１７にて復号した音声信号を入力し、音声出力する。  
充電部２０は、放送受信端末１を構成する各部の回路に直流電源電圧を供給する機能を有し、放送受信端末１の電源入力部に充電用アダプタを介して外部の商用交流電源に接続することによって充電可能であって、充電中であれば、充電中である旨を欠如情報取得指示部１４に対して通知する。
【００１９】
以下に、各部の構成及び動作の態様について更に説明する。  
放送信号受信部１１では、図示しないアンテナ部より導入されたデジタル放送信号のデジタル復調を行った後に、再生部１７によって復号して映像表示用の映像信号及び音声出力用の音声信号を生成して、放送受信端末１の表示部１８及び音声出力部１９での視聴を可能にするとともに、ユーザによる蓄積指示があった場合には、デジタル復調後の放送信号を放送情報として、蓄積部１２にて蓄積する。
【００２０】
ユーザ指示としてなされる蓄積指示の具体例としては、次の形態が挙げられる。すなわち、(1)ユーザによる操作部（図示略）の蓄積開始ボタン押下により放送信号の蓄積を開始し、ユーザによる蓄積終了ボタン押下により放送信号の蓄積を終了する、(2)ユーザにより予め予約設定された蓄積開始日時に達すれば放送信号の蓄積を開始し、ユーザによる予約設定された蓄積終了日時に達すれば放送信号の蓄積を終了する、といった方式が挙げられる。
【００２１】
蓄積部１２は、放送信号受信部１１によりデジタル復調された放送信号を、放送信号受信部１１により蓄積指示のあった期間だけ蓄積を行う。このとき蓄積部１２では、放送信号受信部１１によりデジタル復調された放送信号に欠如箇所がないかのチェックを欠如箇所を特定可能な情報の検出によって行う。そして、欠如箇所があった場合には、その欠如箇所を特定可能な情報を欠如箇所記憶部１３へ通知する。
【００２２】
欠如箇所を特定するための情報としては、放送信号と共に送られてくる時間的な情報を用いる。例えば、放送情報に欠如が生じた時刻T1と、放送情報の欠如が終了した時刻T2とを組として用いる方法が挙げられる。このように定義される方法に従い欠如箇所を欠如箇所記憶部１３に記憶することで、欠如情報取得指示部１４は、欠如箇所記憶部１３内の欠如箇所を参照すれば、時刻T1と時刻T2との間に放送された放送情報が欠如していることが分かる。
【００２３】
通信部１６１，１６２としては、次の方式が挙げられる。すなわち、(1)例えばW-CDMA（広帯域符号分割多元接続、Wideband Code Division Multiple Access）方式やcdma2000方式といった携帯電話方式に従った通信、(2)IEEE802.11規格に準拠した無線LANに従った近距離無線通信、(3)イーサネット（登録商標）や電灯線、電話線といった有線通信、が挙げられる。これらのうち、少なくとも１つの通信方式に従った通信が提供可能である。
【００２４】
なお、図１の構成では、第１，第２の通信部１６１，１６２を放送受信端末１の構成要素として図示しているが、図１の構成とは異なり、放送受信端末１内に第１，第２の通信部１６１，１６２を設けず、放送受信端末１との接続が可能な別体の通信モジュールとして第１，第２の通信部１６１，１６２を用意し、放送受信端末１と通信モジュールとを接続することで、放送受信端末１が通信モジュール内の第１，第２の通信部１６１，１６２を利用可能にする構成としてもよい。
【００２５】
図１の放送受信端末においては、放送信号として受信した放送情報に欠如があることが検出されても、即座に欠如箇所の情報取得を行わず、下記(1)，(2)の条件のいずれか１つが満たされた場合に限って、欠如箇所の情報取得を行うようにする。
【００２６】
(1)蓄積部１２に蓄積した放送情報の再生指示をユーザが行い、その再生指示を欠如情報取得指示部１４が受信した場合
この条件が満たされた場合は、欠如情報取得指示部１４が、ユーザによる操作部（図示略）の再生開始ボタン押下により発生する、再生指示を受けることで、欠如箇所の情報取得を通信部１６１又は１６２に指示し、欠如情報の取得を開始する。
【００２７】
(2)放送受信端末１が充電中である旨を、欠如情報取得指示部１４が検知した場合
この条件が満たされた場合は、充電部２０は、充電中であれば、充電中である旨を欠如情報取得指示部１４に対して通知し、充電中である旨の通知を受けた欠如情報取得指示部１４は、欠如箇所の情報取得を通信部１６１又は１６２に指示し、欠如情報の取得を開始する。
【００２８】
このように、欠如箇所の情報取得に際し、上述の(1)又は(2)の条件を設けることで、放送受信端末に対して、ユーザの指示なく頻繁に欠如箇所の情報取得を試みることを禁止でき、その結果、携帯型端末の電池の消耗を防ぐことができる。
【００２９】
次に、少なくとも１つ（図では２つ）の通信部の選択について説明する。  
二種類以上の通信部(１６１，１６２)を有する放送受信端末１の場合、欠如情報取得指示部１４では、欠如箇所の情報取得に先立って、欠如箇所の情報取得に用いる通信部を選択する。
【００３０】
通信部の選択に先立ち、各々の通信部を用いた通信が可能か否かを判断しておき、その時点において通信が行うことのできない通信部は、選択の候補から除外する。例えば、通信部の選択に先立ち、携帯電話の基地局が検出できない場合、携帯電話方式に従った通信を行う通信部は、選択候補から除外される。
【００３１】
その上で、通信部の選択の際には、次の選択基準の例に基づいて通信部を選択する。
【００３２】
(1)通信コスト：複数種類の通信部につき、欠如箇所の情報取得に要する料金の比較を行い、料金の安い通信部を選択する。  
(2)所要時間：複数種類の通信部につき、欠如箇所の情報取得に要する所要時間の比較を行い、所要時間の短い通信部、つまり伝送速度の速い通信部を選択する。  
欠如情報取得指示部１４で、このような選択基準に従って通信部を選択することにより、より有利かつ有効な条件で欠如情報の取得を行うことが可能となる。
【００３３】
次に、図２及び図３の各フローチャートを参照して、図１の放送受信端末における欠如箇所の記憶動作及び欠如情報の取得動作について説明する。  
図２は、放送受信端末における欠如箇所を記憶する動作を説明するフローチャートを示している。
【００３４】
先ず、放送受信端末１が放送信号を受信すると（ステップＳ1）、ユーザによる蓄積部１２への蓄積指示待ちの状態となる（ステップＳ2）。ステップＳ2で録画指示等の蓄積指示があると、ステップＳ3，Ｓ4へ移行する。  
ステップＳ3，Ｓ4では、放送情報の蓄積を行い且つ蓄積情報に欠如箇所があるか否かのチェックを行う。
【００３５】
ステップＳ4で放送情報に欠如箇所が見つかると、欠如箇所記憶部１３に欠如箇所として例えば欠如の開始時間及び終了時間を記憶して（ステップＳ5）、ステップＳ6に進み、蓄積終了の指示が出ているか否かをチェックする。  
ステップＳ4で欠如箇所が見つからなければ、ステップＳ6へ進み、蓄積終了の指示が出ているか否かをチェックする。
【００３６】
ステップＳ6で蓄積終了の指示が出ていなければ、ステップＳ3に戻り、ステップＳ3〜Ｓ6のルーチンを繰り返す。ステップＳ6で蓄積終了の指示があれば、終了する。
【００３７】
このようにして、例えば１つの番組の録画について蓄積開始指示と蓄積終了指示の間の期間で欠如箇所が見つかる度に、欠如箇所記憶部１３に欠如箇所が、例えば時間的な情報の欠如として記憶されることになる。その後、他の番組の録画についても同様にして蓄積開始指示と蓄積終了指示の間の期間で欠如箇所が例えば時間的な情報の欠如として記憶されることになる。蓄積終了後は、図３のフローチャートへ移行する。
【００３８】
図３は、放送受信端末における欠如情報を取得する動作を説明するフローチャートを示している。  
図３では、先ず、放送受信端末１では欠如情報の取得指示待ちの状態となっている（ステップＳ11）。再生指示又は充電開始指示などの欠如情報の取得指示があると、ステップＳ12以降へ移行する。図１では、ユーザからの再生指示があれば、欠如情報の取得を行え、ユーザからの再生指示がなければ、欠如情報の取得を消費電力の補充が可能な充電中である場合に限り行えることになる。
【００３９】
ステップＳ12では、欠如情報取得指示部１４が欠如箇所記憶部１３を参照して、欠如箇所が記憶されているか否かのチェックを行う。欠如箇所が無ければ終了し、欠如箇所が有れば、ステップＳ13以降へ進む。  
ステップＳ13では、欠如情報取得指示部１４は前述の選択基準に基づいて通信部１６１又は１６２のうちのいずれか有利な条件の通信部を選択し、その通信部を通して欠如箇所に相当する欠如情報の送信をインターネット等の通信媒体を経て、放送局のコンテンツサーバ（図４参照）に対して要求する。或いは、欠如情報取得指示部１４は、選択した有利な条件の通信部を通して欠如箇所に相当する欠如情報の送信をＵＷＢ（超広帯域、Ultra Wide Band）等の通信媒体を経て、ユーザ宅内の放送記憶装置（図５参照）に対して要求する。
【００４０】
その結果、通信部１６１又は１６２は、放送局のコンテンツサーバ又はユーザ宅内の放送記憶装置から通信媒体を経て当該通信部を通して欠如情報を通信信号として受信し（ステップＳ14）、欠如情報抽出部１５へ転送する。  
そして、欠如情報抽出部１５では、受信した欠如情報が欠如箇所だけか否かを判定する（ステップＳ15）。ステップＳ15で、欠如情報が欠如箇所だけであれば、その欠如情報を蓄積部１２に蓄積する（ステップＳ16）。ステップＳ15で、欠如情報が欠如箇所だけでなければ、受信した情報から欠如箇所に相当する欠如情報だけを抽出し、蓄積部１２に蓄積する（ステップＳ17）。これは送信要求された外部のコンテンツ供給源がその供給源固有の情報単位（チャプター単位）で伝送することがあるためである。
【００４１】
そして、ステップＳ18で、受信が終了したか否かを判定し（ステップＳ18）、終了していなければ、送信終了コマンドが来るまで、ステップＳ14〜Ｓ18を繰り返し行う。  
このようにして、コンテンツ供給源から取得した欠如情報をステップＳ14〜Ｓ18で全て蓄積部１２に蓄積することになる。その後、再生部１７にて再生が行われるときに、蓄積部１２から読み出す蓄積情報の時間的な欠如箇所に欠如情報を結合（マージ）して読み出し、表示用映像信号及び出力用音声信号として再生して表示部１８及び音声出力部１９で映像表示及び音声出力する。
【００４２】
なお、欠如情報の補完は、蓄積部１２に欠如情報を蓄積するときに時間情報に従った順に蓄積し直してもよいし、或いは、上述したように再生部１７にて実際に再生出力する際に、蓄積部１２からメインの蓄積情報に欠如情報を時間順に組み入れて読み出すようにしてもよい。
【００４３】
図４は本発明の実施形態の放送受信端末の第１の適用例を示す構成図である。図４では、欠如箇所に相当する放送情報の取得に、放送局が有するコンテンツサーバへのアクセスを利用する場合の、放送受信端末を利用した放送受信システムの構成図を示している。  
図４において、放送受信システムは、放送受信端末１と、放送局２と、放送局２に設けられて、放送情報を蓄積するコンテンツサーバ３と、インターネット４と、を備えている。
【００４４】
図４のシステムを利用する場合、放送受信端末１は、欠如情報取得指示部１４により選択された通信部より、欠如箇所記憶部１３に記憶されている欠如箇所を特定する情報（例えば時間情報）を含めた欠如情報の送信要求を、放送局２に対して、インターネット４を介して行う。そして、欠如情報の送信要求を受信した放送局２は、要求された欠如情報をコンテンツサーバ３より抽出し、インターネット４を介して放送受信端末１へ送信を行う。
【００４５】
図４では、インターネット４を介した放送局２への送信要求を行っているが、インターネットの代わりに、放送局２がサービス提供を行う専用線網を用いてもよい。なお、放送受信端末１が携帯電話方式を用いた通信を行う場合は、インターネット４との通信を、携帯電話サービスを提供する基地局、携帯電話会社が保持する通信サービス網を介することとなる。また、放送受信端末１が近距離無線通信を利用する場合は、近距離無線通信が可能な範囲に存在するインターネットアクセスポイントを介して行われる。  
この第１の適用例によれば、欠如情報を送信元である放送局のコンテンツサーバから取得でき、地域的な電源瞬断の発生時にも、信頼性の高い情報を送信元から取得できる利点がある。
【００４６】
図５は本発明の実施形態の放送受信端末の第２の適用例を示す構成図である。図５では、欠如箇所に相当する放送情報の取得に、放送局からの放送情報を蓄積した放送記憶装置であるレコーダへのアクセスを利用する場合の、放送受信端末を利用した放送受信システムの構成図を示している。
【００４７】
図５において、放送受信システムは、放送受信端末１と、放送局２と、放送局２に設けられて、放送情報を蓄積するコンテンツサーバ３と、放送局１からの放送信号を蓄積したレコーダ５と、を備えている。ここでは、コンテンツサーバ３は必ずしも必要ないが、放送受信端末１が複数の通信機能を有していて、本実施形態を図４の実施形態と併せて利用する場合にはコンテンツサーバ３が必要さなる。また、放送記憶装置としてのレコーダ５は、家庭内に据え置いて使用されるハードディスクレコーダなどが最適である。
【００４８】
図５のシステムを利用する場合、放送受信端末１は、欠如情報取得指示部１４により選択された通信部より、欠如箇所記憶部１３に記憶されている欠如箇所を特定する情報を含めた欠如情報の送信要求を、コンテンツサーバ３を有する放送局２ではなく、レコーダ５に対して行う。そして、欠如情報の送信要求を受信したレコーダ５は、要求された欠如情報をレコーダ５内より抽出し、放送受信端末１へ送信を行う。
【００４９】
図５に示したレコーダ５は、放送受信端末１を所有するユーザ個人の所有レコーダである場合、そして放送受信端末１を所有するユーザ個人が放送事業者と契約して利用するレコーダである場合が考えられる。  
図５に示した例の場合、放送受信端末１にてユーザによって蓄積部１２に対して蓄積指示が行われる場合、放送受信端末１が通信部１６１又は１６２を用いてレコーダ５に対し、蓄積指示が行われた期間の放送蓄積を行うように蓄積要求を出して指示する。レコーダ５への蓄積指示を確実に行うためには、放送受信端末１は携帯電話方式を用いた通信が可能な通信部を持つことが望ましい。このレコーダ５への蓄積指示は、携帯電話通信網を利用して遠隔地から指示することも可能である。
【００５０】
図５のシステムを利用する場合、欠如情報を取得するため、放送受信端末１はレコーダ５との間にて近距離無線通信を利用するか、もしくは放送受信端末１とレコーダ５との間を通信ケーブルを介して接続した上で、有線通信を利用する。  
この第２の適用例によれば、放送受信，蓄積及び通信の機能を有した放送受信端末を用いて、放送受信端末にて番組録画する指示を出すと同時に、ユーザの宅内に配置されたハードディスクレコーダのような大容量の放送記憶装置に対しても同じ番組を録画するように指示を出すことが可能であり、そのように併行して同時録画をすることにより、携帯型又は移動型の放送受信端末にて移動中に録画しているときに瞬断を含む録画の切断が発生した場合でも、後にユーザ宅内のレコーダに同時録画してある録画コンテンツから欠如情報を取得して欠如情報を補完することが可能となる。特に、宅内のレコーダ５としてＣＡＴＶのような有線で配信されている放送情報を録画する構成とすれば、気候変化等の外部環境の変化や天変地異などによって電波障害を受ける虞が少なく、欠落等のない信頼性の高い放送情報を録画することが可能である。
【００５１】
また、駅、空港、携帯電話端末販売店、及びコンビニエンスストアなどの公共的な場所に、常時放送番組を記録することが可能なハードディスクレコーダ等の大容量記憶装置を設置しておき、放送受信端末を所有するユーザが必要に応じて公共的な場所に設置してあるレコーダから記録コンテンツの欠如情報を補完できるようにすることも可能である。
【００５２】
なお、図１の放送受信端末１において、図４の第１の適用例のインターネットによる放送局のコンテンツサーバへのアクセスを行うための通信を第１の通信部１６１で行い、図５の第２の適用例の近距離無線通信による放送記憶装置としてのレコーダへのアクセスを行うための通信を第２の通信部１６２で行うように構成することで、欠如情報の取得に要する通信コスト、所要時間を考慮したサービスを提供することも可能となる。
【００５３】
この発明の実施形態によれば、受信した放送情報を、欠如することなく完全な形にて蓄積することが可能となる。欠如情報の取得をユーザからの再生指示のとき、或いは、ユーザからの再生指示がなければ、欠如情報の取得を消費電力の補充が可能な充電中である場合に限り行うことも可能であり、消費電力増大による連続使用可能時間の短縮を防ぐことが可能となる。また、欠如情報の送信要求先を、放送信号の送信元である放送局、もしくはユーザが使用できる放送記憶装置より選択可能に構成することもでき、或いは、複数種類の通信方式を用いた通信部から選択可能に構成することで、欠如情報の取得に要する通信コスト、信頼性、所要時間を考慮したサービスを提供することが可能となる。
【００５４】
尚、以上述べた実施形態では、放送受信端末としてチューナを備えた携帯電話端末を挙げて説明しているが、携帯電話端末のほかに、ＰＤＡ（個人用携帯情報端末）や移動体端末（モバイル端末）にチューナを搭載したものであってもよい。勿論、携帯型や移動型のものでなくても良いことは勿論である。  
また、以上述べた実施形態では、地上デジタル放送信号を受信し蓄積する例を挙げて説明しているが、衛星デジタル放送信号、衛星アナログ放送信号、地上アナログ放送信号を受信し蓄積する場合にも応用することが可能である。アナログ放送信号の場合は、放送信号の垂直帰線期間（ＶＢＩ）等に時間情報を重畳させて送信することで、必要な欠如情報を取得して補完を行うことができる。
【図面の簡単な説明】
【００５５】
【図１】本発明の一実施形態の放送受信端末の構成を示すブロック図。
【図２】図１の放送受信端末における欠如箇所を記憶する動作を説明するフローチャート。
【図３】図１の放送受信端末における欠如情報を取得する動作を説明するフローチャート。
【図４】本発明の実施形態の放送受信端末の第１の適用例を示す放送受信システムの構成図。
【図５】本発明の実施形態の放送受信端末の第２の適用例を示す放送受信システムの構成図。
【符号の説明】
【００５６】
１…放送受信端末
２…放送局
３…コンテンツサーバ（コンテンツ供給源）
４…インターネット
５…レコーダ（放送記憶装置、コンテンツ供給源）
１１…放送信号受信部
１２…蓄積部
１２ａ…検出部
１３…欠如箇所記憶部
１４…欠如情報取得指示部
１５…欠如情報抽出部
１７…再生部
１８…表示部
１９…音声出力部
２０…充電部
１６１，１６２…通信部
【図１】
2007318334.tif 000003
【図２】
2007318334.tif 000004
【図３】
2007318334.tif 000005
【図４】
2007318334.tif 000006
【図５】
2007318334.tif 000007